(57)【要約】【課題】撮影時の状態を設定し、周囲の人に盗撮を意識させることがなく、また、カバーがなくても撮影窓がゴミや埃によって汚れ難いカメラを備えた折り畳み式の携帯端末装置を提供する。【解決手段】表示部６とカメラ部１１を有する第一の筐体１と、操作部５を有する第二の筐体２とを、第一の筐体１の表示部６を有する面１ｂが第二の筐体２の操作部５を有する面２ａと同じ方向を向くように配置するとともに、第一の筐体１が第二の筐体２の操作部５を有する面２ａに対して略平行に回動するように構成し、第二の筐体２の操作部５を有する面２ａと対向する第一の筐体１の面１ａにカメラ部１１の撮影窓１２を設け、第一筐体１と上記第二の筐体２とのなす角度βが０°及び１８０°の時以外の任意の位置において撮影窓１２が露出するようにして携帯端末装置１０を構成する。【選択図】図２
2004064138.tif 000002
【特許請求の範囲】
【請求項１】
少なくとも表示部とカメラ部を有する第一の筐体と、少なくとも操作部を有する第二の筐体とを有し、上記第一の筐体の表示部を有する面を上記第二の筐体の操作部を有する面と同じ方向を向けた状態で上記第一の筐体が上記第二の筐体の操作部を有する面に対して回動するように構成するとともに、上記第二の筐体の操作部を有する面と対向する上記第一の筐体の面に上記カメラ部の撮影窓を設け、上記第一筐体と上記第二の筐体とのなす角度が０°及び１８０°の時以外の任意の位置において上記カメラ部の窓が露出するように構成したことを特徴とする携帯端末装置。
【請求項２】
上記第一の筐体の表示部を有する面に、上記表示部を挟んで２つのスピーカー部を有するとともに、上記第二の筐体の操作部を有する面にマイク部を設け、かつ上記第一の筐体又は第二の筐体にアンテナを具備するようにしたことを特徴とする請求項１に記載の携帯端末装置。
【発明の詳細な説明】
【０００１】
【発明の属する技術分野】
本発明は、カメラを備える携帯電話機やＰＤＡ（Ｐｅｒｓｏｎａｌ　Ｄｉｇｉｔａｌ　Ａｓｓｉｓｔａｎｔｓ）等の携帯端末装置に関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔｓ）等の携帯端末装置は、携帯性を高めるために折り畳み機構を持ったものが普及しつつあり、さらに情報端末装置としての本来の機能に加え、付加的な機能を追加したものが種々提案されており、その一つにカメラ機能を備えたものがある。
【０００３】
図７にカメラを具備した従来の携帯端末装置の一例を示すように、この携帯端末装置３１は携帯電話機に関するもので、第一の筐体３２と第二の筐体３６とをヒンジ部３５を介して互いの対向面３２ａ，３６ａの角度αを可変し得るように回動可能に構成したもので、第一の筐体３２の対向面３２ａに表示部３３と受話部３４を備えるとともに、第二の筐体３６の対向面３６ａに操作部３７と送話部３８を備え、互いの対向面３２ａ，３６ａが向き合うように折り畳むことで小型化し、携帯性を高めることができ、また、上記ヒンジ部３５を回動させて第一の筐体３２と第二の筐体３６とを開いた時には第一の筐体３２に備える受話部３４を使用者の耳元に近づけ、第二の筐体３６に備える送話部３８を使用者の口元に近づけることにより通話を行うことができるようになっていた。
【０００４】
また、第一の筐体３２内にはカメラ部４０を備えるとともに、被写体を取り込むカメラ部４０の撮影窓３９を第一の筐体３２の対向面３２ａと反対側の外面３２ｂに形成してあり、第一の筐体３２と第二の筐体３６を開いた状態で撮影モードに切り替えると、撮影窓３９からカメラ部４０に取り込まれる被写体を表示部３３に映し出し、撮影モード時にはシャッターキーとして予め割り当ててある操作部３７のキーを押下することにより撮影することができるようになっていた。
【０００５】
なお、４１は第二の筐体３６内に内蔵された電池、４２は第二の筐体３６の端部に設けられたアンテナ、４３は制御部、無線部、記憶部を有する回路基板で、この回路基板４３には、表示部３３、受話部３４、操作部３７、送話部３８、カメラ部４０、電池４１、アンテナ４２がそれぞれ電気的に接続されるようになっていた。
【０００６】
【発明が解決しようとする課題】
ところが、図７に示す携帯端末装置３１は、カメラ部４０の撮影窓３９が第一の筐体３２の外面３２ｂに形成され、第一の筐体３１と第二の筐体３２の開閉にかかわらず外部に露出しているためにゴミや埃が付着し易く、その結果、クリーニングを頻繁に行わなければならず、また、クリーニングを行わずに撮影すると、撮影された画像にゴミや埃が映り込んでしまい、撮影した画像を台無しにしてしまうといった課題があった。
【０００７】
また、カメラ部４０の撮影窓３９が第一の筐体３２の外面３２ｂに常時露出しているため、周囲の人に盗撮を意識させ、不快感を与えるといった恐れもあった。
【０００８】
この点に関し、カメラ部４０の撮影窓３９に嵌め込み式のカバーを設けることも考えられるが、この場合、撮影の度にカバーを取り外さなければならず、手間がかかるとともに、紛失し易いといった課題があり、また、カメラ部４０の撮影窓３９に自動開閉式のカバーを設けたものでは、カバーを自動開閉させる機構が必要となり、携帯端末装置３１の構造が複雑になるとともに、高価なものになってしまうといった課題があった。
【０００９】
【課題を解決するための手段】
そこで、上記課題に鑑み、本発明の携帯端末装置は、少なくとも表示部とカメラ部を有する第一の筐体と、少なくとも操作部を有する第二の筐体とを有し、上記第一の筐体の表示部を有する面を上記第二の筐体の操作部を有する面と同じ方向を向けた状態で上記第一の筐体が上記第二の筐体の操作部を有する面に対して回動するように構成するとともに、上記第二の筐体の操作部を有する面と対向する上記第一の筐体の面に上記カメラ部の撮影窓を設け、上記第一筐体と上記第二の筐体とのなす角度が０°及び１８０°の時以外の任意の位置において上記カメラ部の窓が露出するように構成したことを特徴とする。
【００１０】
また、上記第一の筐体の表示部を有する面には、上記表示部を挟んで２つスピーカー部を設けるとともに、上記第二の筐体の操作部を有する面にはマイク部を設け、かつ上記第一の筐体又は第二の筐体にアンテナを具備するようにしても構わない。
【００１１】
【発明の実施の形態】
以下、本発明の実施形態について説明する。
【００１２】
図１は本発明の携帯端末装置を折り畳んだ時の状態を示す図で、同図（ａ）は平面図、同図（ｂ）は背面図である。図２は本発明の携帯端末装置による撮影モード時の状態を示す図で、同図（ａ）は平面図、同図（ｂ）は背面図である。図３は本発明の携帯端末装置を展開した時の状態を示す図で、同図（ａ）は平面図、同図（ｂ）は背面図である。図４は本発明の携帯端末装置を示す断面図で、（ａ）は図２（ｂ）のＸ−Ｘ線断面図、（ｂ）は図３（ａ）のＹ−Ｙ線断面図である。
【００１３】
この携帯端末装置１０は携帯電話機に関するもので、対向配置された第一の筐体１と第二の筐体２とからなり、第一の筐体１の対向面１ａと反対の外面１ｂ側には、液晶表示装置等の表示部６と、この表示部６を挟んで上下に配置された二つのスピーカー部７，８を備えるとともに、第二の筐体２の対向面２ａ側には操作部５とマイク部４を備えている。
【００１４】
また、第一の筐体１と第二の筐体２は、第一の筐体１の表示部６を有する外面１ｂを第二の筐体２の操作部５を有する対向面２ａと同じ方向に向けた状態で第一の筐体１を第二の筐体２の操作部５を有する対向面２ａに対して略平行に回動させるように構成してあり、第一の筐体１と第二の筐体２とのなす角度βが０°の時を折り畳んだ状態とし、また、第一の筐体１と第二の筐体２とのなす角度βが１８０°の時を展開した状態としてある。
【００１５】
この回動機構としては、第一の筐体１と第二の筐体２とを対向配置した時、その一端側において、互いの対向面１ａ，２ａに対して略垂直に配置された連結部３を中心に回動させることができるようになっている。
【００１６】
なお、図１では第一の筐体１が第二の筐体２の対向面２ａに対して平行にスライドしながら回動する例を示したが、連結部３を起点として第一の筐体１を第二の筐体２の対向面２ａに対して若干傾斜させた後、連結部３を中心に回動させることにより第一の筐体１と第二の筐体２とが開いた時には第一の筐体１の外面１ｂと第二の筐体２の対向面２ａとのなす角度が９０°より大きくかつ１８０°未満の範囲となるよう、略平行に回動するように構成しても構わない。
【００１７】
また、第一の筐体１内にはカメラ部１１を内蔵するとともに、第二の筐体２と対向する第一の筐体１の対向面１ａに上記カメラ部１１へ被写体を取り込むための撮影窓１２を形成してあり、第一筐体１と第二の筐体２とのなす角度βが０°及び１８０°の時以外の任意の位置（本実施形態では図２（ａ）（ｂ）に示すように、第一の筐体１と第二の筐体２とのなす角度βが９０°の位置）においてカメラ部１１の撮影窓１２が露出するように構成してある。
【００１８】
即ち、カメラ部１１の撮影窓１２は、第一の筐体１の対向面１ａであって、折り畳んだ状態及び展開した状態以外の任意の位置において露出する部位に形成してあり、図１（ｂ）及び図３（ｂ）に示すように、折り畳んだ状態及び展開した状態においてはカメラ部１１の撮影窓１２が第ニの筐体２によって塞がれて露出しないように構成してある。
【００１９】
また、第二の筐体２内には制御部、無線部、記憶部を有する回路基板１３と電池１４を備え、上記回路基板１３は、マイク部４、操作部５、表示部６、スピーカー部７，８、カメラ部１１、電池１４と各々電気的に接続されている。なお、１５は回路基板１３の無線部と電気的に接続され、第二の筐体２の連結部３近傍の端部に配置されたアンテナ、１８は第二の筐体２の側面に設けられ、通話モードと撮影モードとを切り換えるモード切り換えボタン、１９は第二の筐体２の側面に設けられ、通話モード時にはオフフックボタンとして機能し、かつ撮影モード時にはシャッターボタンとして機能するシャッター兼オフフックボタンである。
【００２０】
また、連結部３には第一の検出部１６と第二の検出部１７を備え、第一の筐体１と第二の筐体２の開閉途中における状態を検知するようになっている。即ち、図５に検出部の構造を示すように、円柱状をした連結部３の外周には二本の導体パターン１６ａ，１７ａを形成してあり、連結部３の回転により二つの導通端子１６ｂ，１７ｂが二本の導体パターン１６ａ，１７ａと接触／非接触となることでオン状態／オフ状態を検出するようになっている。
【００２１】
具体的には、表１に示すように、第一の検出部１６がオン状態、第二の検出部１７がオフ状態のときは第一の筐体１と第二の筐体２とが完全に重なった折り畳み状態（図１）にあり、第一の検出部１６がオン状態、第二の検出部１７がオン状態のときは第一の筐体１が第二の筐体２に対して９０度回動した状態（図２）にあり、第一の検出部１６がオフ状態、第二の検出部１７がオン状態のときは第一の筐体１が第一の筐体２に対して１８０度回動した展開した状態（図３）にあり、第一の検出部１６がオフ状態、第二の検出部１７がオフ状態のときは第一の筐体２が上記以外の状態にある。
【００２２】
【表１】
2004064138.tif 000003
【００２３】
そして、本発明の携帯端末装置１０によれば、第一の筐体１が第二の筐体２に対して９０度回動した状態（図２）においてのみカメラ部１１の撮影窓１２が完全に露出し、それ以外の位置（例えば、図１や図３）ではカメラ部１１の撮影窓１２が完全に露出せず、撮影窓１２を第二の筐体２によって覆うことができるため、撮影窓１２にカバーを別途設ける必要がなく、構造を簡略化できるとともに、従来のように撮影窓１２が常時露出するようなことがないため、ゴミや埃が付着し難く、クリーニングを頻繁に行わなくて済む構造とすることができる。しかも、撮影モードであるのか否かを周囲の人も容易に判断することができるため、盗撮を意識させることがなく、周囲の人に不快感を与えるようなこともない。
【００２４】
なお、第一の検出部１６及び第二の検出部１７の状態と展開状態との関係は表１に示すパターンだけに限らず、適宜設定することができる。
【００２５】
そして、本発明の携帯端末装置１０は、第一の筐体１と第二の筐体２の展開時は勿論のこと、折り畳み時においても通話を行うことができるとともに、第一の筐体１と第二の筐体２とのなす角度βが９０°の時を撮影モードとして設定してある。
【００２６】
その流れを図６に示すフローチャート図を基に説明する。
【００２７】
まず、通話モードにおいては、着信を検知すると、２つのスピーカー部７，８を動作させて着信音を放音するようになっている。この時、２つのスピーカー部７，８は表示部６を挟んで両側に配置されていることから両者の距離を離すことができるため、各スピーカー部７，８より独立した着信音を出力することによりステレオ効果を持った着信音を放音させることができる。
【００２８】
そして、通話を行うにはシャッター兼オフフックボタン１９を押下することにより行うのであるが、この時、第一の検出部１６及び第二の検出部１７にて第一の筐体１と第二の筐体２の開閉状態を確認する。例えば、第一の検出部１６がオフ状態でかつ第二の検出部１７がオン状態である場合、携帯端末装置１０は展開した状態（図３）にあるため、表示部６に発呼者やその電話番号等の受信情報等を表示させるとともに、マイク部４及びマイク部４より遠方（連結部３と反対側の端部）にあるスピーカー部８をそれぞれ動作させ、スピーカー部８を使用者の耳元に、マイク部４を使用者の口元にそれぞれ近づけることにより通話を行うことができるようになっている。なお、この時、連結部３近傍にあるスピーカー部７は不動作とし、また、表示部６の表示情報等はスピーカー部８側が「上」となるように表示させるようになっている。
【００２９】
また、通話を行うためにシャッター兼オフフックボタン１９を押下した時、第一の検出部１６がオン状態でかつ第二の検出部１７がオフ状態である場合、携帯端末装置１０は折り畳まれた状態（図１）にあるため、表示部６に発呼者やその電話番号等の受信情報等を表示させるとともに、マイク部４及びマイク部４より遠方（連結部３近傍）にあるスピーカー部７をそれぞれ動作させ、スピーカー部７を使用者の耳元に、マイク部４を使用者の口元側にそれぞれ近づけることにより通話を行うことができるようになっている。なお、この時、マイク部４近傍（連結部３と反対側の端部）にあるスピーカー部８は不動作とし、また、表示部６の表示情報等は上下を切り替えてスピーカー部７側が「上」となるように表示させるようになっている。
【００３０】
さらに、シャッター兼オフフックボタン１９を押下した時、第一の検出部１６がオン状態でかつ第二の検出部１７がオン状態である場合又は第一の検出部１６がオフ状態でかつ第二の検出部１７がオフ状態である場合、いずれも第二の筐体２は第一の筐体１に対して開閉途中であるため、この時には着信があったことを２つのスピーカー部７，８から着信音として報知するだけで、表示部６は背景色、マイク部４は不動作とし、通話を行うには第一の筐体１を第二の筐体２に対して完全に折り畳むか（図１）又は展開する（図３）ことで上述のように通話を行うことができるようになっている。
【００３１】
次に、携帯端末装置１０に備えるカメラ部１１によって撮影を行うには、モード切り換えボタン１８を押下して撮影モードに切り換えた後、第一の筐体１を第二の筐体２に対して回動させ、本実施形態では第一の検出部１６がオン状態でかつ第二の検出部１７がオン状態、即ち図２（ａ）（ｂ）に示すように、第一の筐体１を第二の筐体２に対して９０°回動させることでカメラ部１１の撮影窓１２を露出させることができ、撮影窓１２を被写体に向けるとカメラ部１１に取り込まれた画像を表示部６に表示させることができるようになっている。そして、撮影モード時にはシャッター兼オフフックボタン１９を押下することにより撮影窓１２からカメラ部１１に取り込まれた画像を撮影できるようになっている。
【００３２】
このように、本発明の携帯端末装置１０によれば、展開した状態だけでなく、折り畳み状態でも発呼者の氏名や電話番号等の受信情報を表示部６を介して確認することができるとともに、そのまま通話モードに移行することができる。
【００３３】
また、着信時には二つのスピーカー部７，８より独立して着信音を発生させることによりステレオ効果をもった着信音を発生させることができ、特に音楽を着信音として用いた場合、臨場感溢れる着信音を放音することができる。
【００３４】
さらに、本発明の携帯端末装置１０によれば、折り畳み状態及び展開状態ではカメラ部１１の撮影窓１２が第二の筐体２によって塞がれるため、カバーが不要であり、構造を簡略化できるとともに、従来のようにカメラ部１１の撮影窓１２が常時露出するようなことがないため、ゴミや埃が付着し難く、クリーニングを頻繁に行わなくて済む構造とすることができる。しかも、撮影モードであるのか否かを周囲の人も容易に判断することができるため、盗撮を意識させることがなく、周囲の人に不快感を与えるようなこともない。
【００３５】
また、表示部６を有する第一の筐体１にカメラ部１１を配置し、かつ表示部６と反対側の対向面１ａにカメラ部１１の撮影窓１２を形成するようにしたことから、表示部６の表示面と撮影窓１２を平行に配置することができるため、撮影窓１２を被写体に向ければ、表示部６の表示面を目線に対して略垂直に配置することができ、撮影窓１２からカメラ部１１に取り込まれた画像を表示部６で容易に確認できるとともに、シャッターチャンスを逃し難い構造とすることができる。
【００３６】
以上、本発明の実施形態について示したが、本発明は上述した実施形態だけに限定されるものではなく、例えば、本実施形態では、図２に示すように、第一の筐体１を第二の筐体２に対して９０°回動させた時に、第一の筐体１に備えるカメラ部１１の撮影窓１２が完全に露出するようにした例を示したが、第一の筐体１と第二の筐体２とのなす角度βが０°及び１８０°の時以外の任意の位置において第一の筐体１に備えるカメラ部１１の撮影窓１２が第二の筐体２より露出するようにしてあれば良い。
【００３７】
また、本実施形態では携帯電話機を基に説明したが、カメラを備えたＰＤＡ（Ｐｅｒｓｏｎａｌ　Ｄｉｇｉｔａｌ　Ａｓｓｉｓｔａｎｔｓ）等の携帯端末装置にも適用することができ、このように本発明の要旨を逸脱しない範囲で改良や変更したものにも適用できることは言う迄もない。
【００３８】
【発明の効果】
以上のように、本発明の携帯端末装置によれば、少なくとも表示部とカメラ部を有する第一の筐体と、少なくとも操作部を有する第二の筐体とを有し、上記第一の筐体の表示部を有する面を上記第二の筐体の操作部を有する面と同じ方向を向けた状態で上記第一の筐体が上記第二の筐体の操作部を有する面に対して略平行に回動するように構成するとともに、上記第二の筐体の操作部を有する面と対向する上記第一の筐体の面に上記カメラ部の撮影窓を設け、上記第一筐体と上記第二の筐体とのなす角度が０°及び１８０°の時以外の任意の位置において上記カメラ部の窓が露出するように構成したことによって、撮影窓のカバーを不要とし、携帯端末装置の構造を簡略化できるとともに、従来のように撮影窓が常時露出するようなことがないため、ゴミや埃が付着し難い構造とすることができる。
【００３９】
また、撮影状態以外では撮影窓が露出しないことから、撮影モードであるのか否かを周囲の人が容易に判断することができるため、盗撮を意識させることがなく、周囲の人に不快感を与えるようなこともない。
【００４０】
また、表示部を有する第一の筐体にカメラ部を配置するとともに、第二の筐体の操作部を有する面と対向する第一の筐体の面に撮影窓を形成するようにしたことから表示部の表示面と撮影窓を略平行に配置することができるため、撮影窓を被写体に向けた時、表示部の表示面を目線に対して略垂直に配置することができ、撮影窓からカメラ部に取り込まれた画像を表示部にて容易に確認できるとともに、シャッターチャンスを逃し難い構造とすることができる。
【００４１】
また、本発明によれば、上記第一の筐体の表示部を有する面には、表示部を挟んで２つのスピーカー部を設けるとともに、上記第二の筐体の操作部を有する面にはマイク部を設け、かつ上記第一の筐体又は第二の筐体にアンテナを配置するようにしたことよって、携帯端末装置の展開時だけでなく折り畳み時においても着信があった場合、表示部に発呼者等の受信情報等を表示させることができるため、発呼者の特定を直ぐに行うことができ、受信情報に応じて直ちに通話を行うことができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯端末装置としての携帯性を十分に発揮することができる。
【００４２】
また、２つのスピーカー部を距離を離して配置してあることから、各スピーカー部に独立した着信音を出力することでステレオ効果を持った着信音を発生させることもできる。
【図面の簡単な説明】
【図１】本発明の携帯端末装置を折り畳んだ時の状態を示す図で、同図（ａ）は平面図、同図（ｂ）は背面図である。
【図２】本発明の携帯端末装置による撮影モード時の状態を示す図で、同図（ａ）は平面図、同図（ｂ）は背面図である。
【図３】本発明の携帯端末装置を展開した時の状態を示す図で、同図（ａ）は平面図、同図（ｂ）は背面図である。
【図４】（ａ）は図２（ｂ）のＸ−Ｘ線断面図、（ｂ）は図３（ａ）のＹ−Ｙ線断面図である。
【図５】本発明の携帯端末装置の検出部の構造を示す部分拡大斜視図である。
【図６】本発明の携帯端末装置の通話モード時における流れを示すフローチャート図である。
【図７】従来の携帯端末装置の展開時の状態を示す断面図である。
【符号の説明】
１：第１の筐体　１ａ：対向面　１ｂ：外面　２：第２の筐体　２ａ：対向面
３：連結部　４：マイク部　５：操作部　６：表示部　７：スピーカー部
８：スピーカー部　１０：携帯端末装置　１１：カメラ部　１２：撮影窓
１３：回路基板　１４：電池　１５：アンテナ、１６：第一の検出部
１７：第二の検出部　１８：モード切り換えボタン
１９：シャッター兼オフフックボタン
【図１】
2004064138.tif 000004
【図２】
2004064138.tif 000005
【図３】
2004064138.tif 000006
【図４】
2004064138.tif 000007
【図５】
2004064138.tif 000008
【図６】
2004064138.tif 000009
【図７】
2004064138.tif 000010